(57)【特許請求の範囲】
【請求項１】
ＰＯＳ情報を取得する取得手段と、該取得したＰＯＳ情報を記憶する記憶装置と、取得又は記憶したＰＯＳ情報の集計を行う集計手段と、該集計手段による集計結果を表示する表示手段とを備えた情報管理システムであって、
前記集計手段は、
予め定めた所定期間である通常集計期間のＰＯＳ情報の集計を行う通常集計手段と、
通常集計期間よりも短く且つ一日よりも短くなるように予め定めた短期集計期間のＰＯＳ情報の集計を行う短期集計手段とを含み、
前記記憶装置は、販売する商品のうちから選定された定期集計対象商品を記憶し、
前記短期集計手段は、
前記定期集計対象商品に関するＰＯＳ情報の集計を、前記短期集計期間毎に、自動的に実行する定期集計手段と、
臨時集計対象商品の選定及び臨時集計対象期間の選択が行われた場合に、所定条件下で、該臨時集計対象商品に関するＰＯＳ情報の集計を、該臨時集計対象期間に対して行う臨時集計手段とを有し、
該臨時集計手段は、前記選定及び前記選択が行われた際、前記短期集計手段が以前に同一の集計を行っていないと判定した場合に集計を行う
ことを特徴とする情報管理システム。
【請求項２】
前記定期集計手段と前記臨時集計手段はそれぞれ集計結果を所定のデータテーブルに記憶させ、
前記臨時集計手段は、前記所定のデータテーブルを参照して前記判定を行い、かつ前記短期集計手段が以前に同一の集計を行ったことがあると判定した場合にそのときの集計結果を前記データテーブルから読み込み、
前記表示手段は、前記臨時集計手段により読み込まれた集計結果を表示する
請求項１記載の情報管理システム。
【請求項３】
記憶装置に予め記憶させる定期集計対象商品の設定を行う定期集計設定手段を設けた
請求項１または請求項２記載の情報管理システム。
【請求項４】
前記臨時集計手段は、集計対象の数が予め定めた所定値を超えていない場合に前記集計を行い、集計対象の数が予め定めた所定値を超えている場合にはユーザにその旨を報知して前記集計を行わない 
請求項１から請求項３のうちいずれかに記載の情報管理システム。
【請求項５】
定期集計対象商品以外の商品うちから臨時集計対象商品の選定を行うとともに、短期集計期間単位で集計対象時間を一又は複数選択して臨時集計対象期間とする臨時集計設定手段を設け、
前記臨時集計手段は、該選定された臨時集計対象商品に関するＰＯＳ情報の集計を、該選択された臨時集計対象期間に対して行う
請求項１から請求項４のうちいずれかに記載の情報管理システム。
【請求項６】
定期集計対象商品と臨時集計対象商品がＳＫＵ単位で選定される
請求項１から請求項５のうちいずれかに記載の情報管理システム。
【請求項７】
上記通常期間が店舗での１日当りの営業時間に設定されるとともに、上記短期集計期間が１時間に設定された
請求項１から請求項６のうちいずれかに記載の情報管理システム。
【請求項８】
ＰＯＳ情報を取得し、該取得したＰＯＳ情報を記憶装置に記憶し、取得又は記憶したＰＯＳ情報の集計を行う集計処理と、該集計手段による集計結果を表示する表示処理とを実行させる情報管理プログラムであって、
記憶装置を備えたコンピュータに、
前記集計処理として、
予め定めた所定期間である通常集計期間のＰＯＳ情報の集計を行う通常集計処理と、
通常集計期間よりも短く且つ一日よりも短くなるように予め定めた短期集計期間のＰＯＳ情報の集計を行う短期集計処理とを実行させ、
前記記憶装置は、販売する商品のうちから選定された定期集計対象商品を記憶し、
前記短期集計処理では、
前記定期集計対象商品に関するＰＯＳ情報の集計を、前記短期集計期間毎に、自動的に実行する定期集計処理と、
臨時集計対象商品の選定及び臨時集計対象期間の選択が行われた場合に、所定条件下で、該臨時集計対象商品に関するＰＯＳ情報の集計を、該臨時集計対象期間に対して行う臨時集計処理とを実行させ、
該臨時集計処理では、前記選定及び前記選択が行われた際、前記短期集計処理が以前に同一の集計を行っていないと判定した場合に集計を行う処理を
実行させるための情報管理プログラム。
【請求項９】
前記定期集計処理と前記臨時集計処理ではそれぞれ集計結果を所定のデータテーブルに記憶させ、
前記臨時集計処理では、前記所定のデータテーブルを参照して前記判定を行い、かつ前記短期集計処理にて以前に同一の集計を行ったことがあると判定した場合にそのときの集計結果を前記データテーブルから読み込み、
前記表示処理では、前記臨時集計処理にて読み込んだ集計結果を表示する処理を
実行させるための請求項８記載の情報管理プログラム。
【請求項１０】
記憶装置に予め記憶させる定期集計対象商品の設定を行う定期集計設定処理を
実行させるための請求項８または請求項９記載の情報管理プログラム。
【請求項１１】
前記臨時集計処理では、集計対象の数が予め定めた所定値を超えていない場合に前記集計を行い、集計対象の数が予め定めた所定値を超えている場合にはユーザにその旨を報知して前記集計を行わない処理を 
実行させるための請求項８から請求項１０のうちいずれかに記載の情報管理プログラム。
【請求項１２】
定期集計対象商品以外の商品うちから臨時集計対象商品の選定を行うとともに、短期集計期間単位で集計対象時間を一又は複数選択して臨時集計対象期間とする臨時集計設定処理を実行させ、
前記臨時集計処理では、該選定された臨時集計対象商品に関するＰＯＳ情報の集計を、該選択された臨時集計対象期間に対して行う処理を
実行させるための請求項８から請求項１１のうちいずれかに記載の情報管理プログラム。
【請求項１３】
定期集計対象商品と臨時集計対象商品がＳＫＵ単位で選定される処理を
実行させるための請求項８から請求項１２のうちいずれかに記載の情報管理プログラム。
【請求項１４】
上記通常期間が店舗での１日当りの営業時間に設定されるとともに、上記短期集計期間が１時間に設定される処理を
実行させるための請求項８から請求項１３のうちいずれかに記載の情報管理プログラム。
【発明の詳細な説明】
【技術分野】
【０００１】
本発明は、ＰＯＳ情報の集計を行って、その結果を表示する情報管理システム及び情報管理プログラムに関する。
【背景技術】
【０００２】
従来、売上情報等のＰＯＳ情報を集計するものとして、ＰＯＳ情報を取得する取得手段と、該取得したＰＯＳ情報を記憶する記憶装置と、取得又は記憶したＰＯＳ情報の集計を行う集計手段と、該集計手段による集計結果を表示する表示手段とを備えた情報管理システムが公知になっている（例えば、特許文献１参照）。
【先行技術文献】
【特許文献】
【０００３】
【特許文献１】特開２００８−７１１８６号公報
【発明の概要】
【発明が解決しようとする課題】
【０００４】
上記文献の情報管理システムは、ＰＯＳ情報の集計結果から、特定商品の販売状況の確認等を行うことによって、それ以降の店舗での販売計画や仕入れ計画等を精度高く練ることが可能になる。
しかし、同文献の情報管理システムは、集計手段として通常集計手段のみを有し、該通常集計手段は、店舗での１日分の営業時間（通常期間）のＰＯＳ情報を集計するものであり、翌日の店舗での販売計画や仕入れ計画等の短期的な経営計画を立案するのが、店舗を閉店した直後以降になり、翌日の開店までに時間的余裕が少ない。
【０００５】
すなわち、一日分の営業期間のＰＯＳ情報を利用して、店舗での中長期的な経営計画を立案することはできるが、店舗での短期的な経営計画を立案する上では、利便性が悪い。
【０００６】
本発明は、ＰＯＳ情報の集計結果に基づいて、店舗での翌週又は翌月等の中長期的な経営計画を立案することが容易であるとともに、店舗での翌日等の短期的な経営計画を練ることも容易な情報管理サーバ及び情報管理プログラムを提供することを課題とする。
【課題を解決するための手段】
【０００７】
本発明の情報管理システムは、ＰＯＳ情報を取得する取得手段と、該取得したＰＯＳ情報を記憶する記憶装置と、取得又は記憶したＰＯＳ情報の集計を行う集計手段と、該集計手段による集計結果を表示する表示手段とを備えた情報管理システムであって、集計手段として通常集計手段と短期集計手段との少なくとも２つを有し、通常集計手段は、予め定めた所定期間である通常集計期間のＰＯＳ情報の集計を行い、短期集計手段は、通常集計期間よりも短く且つ一日よりも短くなるように予め定めた短期集計期間のＰＯＳ情報の集計を行うことを特徴とする。
【０００８】
上記の構成としたことにより、通常集計手段を介して通常集計期間のＰＯＳ情報の集計を行うことによって、販売店舗での中長期的な経営計画を立案することが容易であるとともに、短期集計手段を介して短期集計期間のＰＯＳ情報の集計を行うことによって、販売店舗での翌日等の短期的な経営計画を練ることも容易になる。特に、当日の店舗の営業時間中における販売状況等を、短期集計手段による集計結果に基づいて、リアルタイムに監視することによって、時間に余裕を持って、翌日の仕入れや、販売等の計画を練ることが可能になる。
【０００９】
販売する商品のうちから選定された定期集計対象商品が記憶装置に予め記憶され、前記短期集計手段は、前記記憶装置に記憶された定期集計対象商品に関するＰＯＳ情報の集計を、上記短期集計期間毎に、自動的に行う構成とされてもよい。
【００１０】
記憶装置に予め記憶させる定期集計対象商品の設定を行う定期集計設定手段を設けた構成とされてもよい。
【００１１】
定期集計対象商品がＳＫＵ単位で選定される構成とされてもよい。
【００１２】
定期集計対象商品以外の商品うちから臨時集計対象商品の選定を行うとともに、短期集計期間単位で集計対象時間を一又は複数選択して臨時集計対象期間とする臨時集計設定手段を設け、前記短期集計手段は、該選定された臨時集計対象商品に関するＰＯＳ情報の集計を、該選択された臨時集計対象期間に対して行う構成とされてもよい。
【００１３】
臨時集計対象商品がＳＫＵ単位で選定される構成とされてもよい。
【００１４】
上記通常期間が店舗での１日当りの営業時間に設定されるとともに、上記短期集計期間が１時間に設定された構成とされてもよい。
【００１５】
また、本発明の情報プログラムは、ＰＯＳ情報を取得し、該取得したＰＯＳ情報を記憶装置に記憶し、取得又は記憶したＰＯＳ情報の集計を行う集計処理と、該集計手段による集計結果を表示する表示処理とを実行させる情報管理プログラムであって、記憶装置を備えたコンピュータに、集計処理として、予め定めた所定期間である通常集計期間のＰＯＳ情報の集計を行う通常集計処理と、集計処理として、通常集計期間よりも短く且つ一日よりも短くなるように予め定めた短期集計期間のＰＯＳ情報の集計を行う短期集計処理とを実行させるためのものである。
【発明の効果】
【００１６】
本発明によれば、通常集計手段を介して通常集計期間のＰＯＳ情報の集計を行うことによって、販売店舗での中長期的な経営計画を立案することが容易であるとともに、短期集計手段を介して短期集計期間のＰＯＳ情報の集計を行うことによって、販売店舗での翌日等の短期的な経営計画を練ることも容易になる。特に、当日の店舗の営業時間中における販売状況等を、短期集計手段による集計結果に基づいて、リアルタイムに監視することによって、時間に余裕を持って、翌日の仕入れや、販売等の計画を練ることが可能になる。
【図面の簡単な説明】
【００１７】
【図１】本発明を適用した情報管理システムのブロック図である。
【図２】（Ａ）は店舗データテーブルの説明図であり、（Ｂ）はＳＫＵデータテーブルの説明図であり、（Ｃ）はユーザデータテーブルの説明図である。
【図３】（Ａ）は販売データテーブルの説明図であり、（Ｂ）は定期集計設定データテーブルの説明図ある。
【図４】通常集計データテーブルの説明図である。
【図５】（Ａ）は定期集計データテーブルの説明図であり、（Ｂ）は臨時集計データテーブルの説明図である。
【図６】（Ａ）は定期集計設定画面の説明図であり、（Ｂ）は臨時集計設定画面の説明図である。
【図７】短期集計手段が行う短期集計処理のフロー図である。
【図８】定期集計処理のサブルーチンのフロー図である。
【図９】表示手段によって表示される集計結果表示画面の説明図である。
【図１０】臨時集計処理のサブルーチンのフロー図である。
【図１１】通常集計手段が行う通常集計処理のフロー図である。
【発明を実施するための形態】
【００１８】
以下、図示する例に基づき本発明の実施形態を説明する。
図１は、本発明を適用した情報管理システムのブロック図である。この情報管理システムは、情報管理サーバ１を備え、該情報管理サーバ１には、インターネット等のＷＡＮからなるネットワーク２，３を介して、一又は複数の店舗端末４及び一又は複数の情報端末６が接続されている。
【００１９】
上記店舗端末４は、店舗毎に各別に設けられ、該店舗のレジスタ設備（図示しない）から取得される商品情報や売上情報や在庫情報等からなるＰＯＳ（Ｐｏｉｎｔ  ｏｆ  ｓａｌｅ）情報を、リアルタイムで、情報管理サーバ１側に送信するように構成されている。このＰＯＳ情報には、「いつ・どの商品が・どんな価格で、いくつ売れたか」等の詳細な販売実績情報が含まれている。
【００２０】
上記情報端末６は、情報管理サーバ１からの各種情報等を取得して、画面表示させるものである。なお、店舗端末４に、この情報端末３の機能を持たせてもよい他、情報管理サーバ１自身にも該情報端末６の機能が設けられている。
【００２１】
上記情報管理サーバ１は、コンピュータに、本発明を適用した情報管理プログラムをインストールすることにより実現される。そして、この情報管理サーバ１は、ネットワーク２を介して、送信されてくる上述のＰＯＳ情報を取得するＰＯＳ情報取得手段（取得手段）７と、取得したＰＯＳ情報やその他の各種情報を記憶するＨＤＤ又はＳＳＤ等からなる記憶装置８と、該記憶装置８に記憶されているＰＯＳ情報の集計を行う集計部９と、該集計部９で行う集計の詳細設定を行う設定部１１と、該管理サーバ１に直接アクセスしてくるユーザ又は情報端末６を介してアクセスしてくるユーザに対してロックインＩＤ及びパスワードによって認証を行うユーザ認証手段１２を備えている。
【００２２】
集計部９は、ＰＯＳ情報取得手段７によって取得されたＰＯＳ情報又は記憶装置８に記憶されたＰＯＳ情報の集計を行う集計手段として、通常集計手段１３と短期集計手段１４の２つの集計手段を有するとともに、該２つの集計手段１３，１４による集計結果を表示する表示手段１６を備えている。
【００２３】
通常集計手段１３は予め定めた所定期間である通常集計期間のＰＯＳ情報の集計を行う一方で、短期集計手段１４は、通常集計期間よりも短く且つ一日よりも短くなるように予め定めた短期集計期間のＰＯＳ情報の集計を行う。ちなみに、本例では、通常集計期間が、各店舗での一日当りの営業時間に設定されるとともに、短期集計期間が、１時間に設定されている。
【００２４】
設定部１１は、販売する商品のうちから、上記短期集計期間毎に定期的に集計を行う対象商品を、定期集計対象商品として選定し、これを予め記憶装置８に記憶する定期集計設定手段１７を有している。この他、設定部１１は、該定期集計対象商品以外の商品うちから臨時集計対象商品の選定を行うとともに、短期集計期間単位で集計対象時間を一又は複数選択して臨時集計対象期間とする臨時集計設定手段１８を備えている。
【００２５】
上述した短期集計手段１４は、前記予め選定された各定期集計対象商品に関するＰＯＳ情報の集計を、上記短期集計期間毎に、自動的に実行する定期集計処理を行うとともに、前記臨時集計設定手段によって、臨時集計対象商品の選定及び臨時集計対象期間の選択が行われた場合に、所定条件下で、該臨時集計対象商品に関するＰＯＳ情報の集計を、該臨時集計対象期間に対して実行する臨時集計処理を行う。
【００２６】
上記記憶装置８は、従来公知のリレーショナブルデータベースによって構成されており、具体的には、図２〜図５に示す通り、各店舗の情報を記憶した店舗データテーブル１９と、販売する商品及び在庫として保管する商品をＳＫＵで記憶したＳＫＵデータテーブル２１と、ユーザのログインＩＤ及びパスワードを記憶したユーザデータテーブル２２と、ＰＯＳ情報により得られる各店舗での販売済み情報を記憶した販売データテーブル２３と、定期集計設定手段１７によって選定された定期集計対象商品の情報を記憶した定期集計設定データテーブル２４と、通常集計手段１３による集計結果の情報を記憶する通常集計データテーブル２６と、短期集計手段１４における定期集計対象商品の集計結果の情報を記憶する定期集計データテーブル２７と、短期集計手段１４における臨時集計対象商品の集計結果の情報を記憶する臨時集計データテーブル２８とが設けられている。
【００２７】
ちなみに、ＳＫＵとは、「Ｓｔｏｃｋ  Ｋｅｅｐｉｎｇ  Ｕｎｉｔ」の略であり、在庫保管単位と呼ばれ、例えば、同一商品のＴシャツについてＳサイズ、Ｍサイズ、Ｌサイズ及びＬＬサイズの４種類のサイズが在る場合、このサイズ毎に、このＴシャツの在庫状況を管理する必要があり、このため、このＴシャツのＳサイズ、Ｍサイズ、Ｌサイズ、ＬＬサイズのそれぞれが１ＳＫＵとなる。
【００２８】
図２（Ａ）は店舗データテーブルの説明図であり、（Ｂ）はＳＫＵデータテーブルの説明図であり、（Ｃ）はユーザデータテーブルの説明図である。店舗データテーブル１９は、数字よりなる「店舗ＩＤ」と、店舗の名前が記憶される「店舗名」と、店舗３の住所が記憶される「住所」とを、フィールドとして有している。
【００２９】
ＳＫＵデータテーブル２１は、数字よりなる「ＳＫＵ  ＩＤ」と、商品の名前が記憶される「商品名」と、商品に用意されたサイズや色等の種類が、該商品をＳＫＵに分ける単位として記憶される「ＳＫＵ識別子」と、商品の１ＳＫＵでの価格が記憶される「価格」とを、フィールドとして有している。
【００３０】
ユーザデータテーブル２２は、数字よりなる「ユーザＩＤ」と、ユーザ認証手段１２によるユーザ認証時のログインＩＤが記憶される「ログインＩＤ」と、該ユーザ認証時のパスワードが記憶される「パスワード」とを、フィールドとして有している。ちなみに、ユーザ認証手段１２は、このユーザデータテーブル２２に記憶したログインＩＤとパスワードが一致したユーザのみに、集計部９を介した集計操作や、設定部１１を介した設定操作を行うことを許可（ログインを許可）する。
【００３１】
図３（Ａ）は販売データテーブルの説明図であり、（Ｂ）は定期集計設定データテーブルの説明図ある。販売データテーブル２３は、数字よりなる「販売ＩＤ」と、商品がどの店舗で販売されたかを示す目的で、該店舗の店舗データテーブル１９での店舗ＩＤが記憶される「店舗ＩＤ」と、販売された商品が在庫保管単位（ＳＫＵ）で具体的にどれにあたるかを示す目的で、販売された該商品のＳＫＵデータテーブル２１でのＳＫＵ  ＩＤが記憶される「ＳＫＵ  ＩＤ」と、該商品が販売された時刻が記憶される「販売時刻」とを、フィールドとして有している。すなわち、店舗データテーブル１９から販売データテーブル２３への多対一のデータのリレーションシップが行われているとともに、ＳＫＵデータテーブル２１から販売データテーブル２３への多対一のデータのリレーションシップが行われている。
【００３２】
定期集計設定データテーブル２４は、数字よりなる「定期集計設定ＩＤ」と、この定期集計設定手段１７によってどの店舗の定期集計設定処理を行っているかを示す目的で、該店舗の店舗データテーブル１９での店舗ＩＤが記憶される「店舗ＩＤ」と、定期集計対象商品が在庫保管単位（ＳＫＵ）で具体的にどれにあたるかを示す目的で、該商品のＳＫＵデータテーブル２１でのＳＫＵ  ＩＤが記憶される「ＳＫＵ  ＩＤ」と、該商品がセール品として記憶されたのか、或いは重点商品として記憶されたのかを示す種別情報が記憶される「種別」とを、フィールドとして有している。すなわち、店舗データテーブル１９から定期集計設定データテーブル２４への多対一のデータのリレーションシップが行われているとともに、ＳＫＵデータテーブル２１から定期集計設定データテーブル２４への多対一のデータのリレーションシップが行われており、店舗単位且つ在庫保管単位で、定期集計処理の設定が行われる。
【００３３】
図４は、通常集計データテーブルの説明図である。通常集計データテーブル２６は、数字よりなる「通常集計ＩＤ」と、通常集計手段１３による通常集計処理の結果がどの店舗３に関するものであるかを示す目的で、該店舗３の店舗データテーブル１９での店舗ＩＤが記憶される「店舗ＩＤ」と、該集計結果が在庫保管単位でどの商品に関するものであるかを示す目的で、該商品３のＳＫＵデータテーブル２１でのＳＫＵ  ＩＤが記憶される「ＳＫＵ  ＩＤ」と、該商品のこの集計での販売数を記憶する「販売数」と、該商品のこの集計での販売額の総額を示す「販売金額」と、この集計を行った時期を通常集計期間単位（日付）で示す「集計時期」とを、フィールドとして有している。
【００３４】
すなわち、店舗データテーブル１９から通常集計データテーブル２６への多対一のデータのリレーションシップが行われているとともに、ＳＫＵデータテーブル２１から通常集計データテーブル２６への多対一のデータのリレーションシップが行われており、店舗単位且つ在庫保管単位で、通常集計処理の結果が保管、管理されている。
【００３５】
図５（Ａ）は定期集計データテーブルの説明図であり、（Ｂ）は臨時集計データテーブルの説明図である。定期集計データテーブル２７は、数字よりなる「定期集計ＩＤ」と、短期集計手段１３による定期集計処理の結果がどの店舗に関するものであるかを示す目的で、該店舗３の店舗データテーブル１９での店舗ＩＤが記憶される「店舗ＩＤ」と、該集計結果が在庫保管単位でどの商品に関するものであるかを示す目的で、該商品のＳＫＵデータテーブル２１でのＳＫＵ  ＩＤが記憶される「ＳＫＵ  ＩＤ」と、該商品のこの集計での販売数を記憶する「販売数」と、該商品のこの集計での販売額の総額を示す「販売金額」と、この集計を行った時期を短期集計期間単位（１時間単位）で示す「集計時期」とを、フィールドとして有している。
【００３６】
すなわち、店舗データテーブル１９から定期集計データテーブル２７への多対一のデータのリレーションシップが行われているとともに、ＳＫＵデータテーブル２１から定期集計データテーブル２７への多対一のデータのリレーションシップが行われており、店舗単位且つ在庫保管単位で、定期集計処理の結果が保管、管理されている。
【００３７】
臨時集計データテーブル２８は、数字よりなる「臨時集計ＩＤ」と、短期集計手段１３による臨時集計処理の指示がどのユーザからのものであるかを示す目的で、該ユーザのユーザデータテーブル２２でのユーザＩＤが記憶される「ユーザＩＤ」と、この臨時集計処理の結果がどの店舗３に関するものであるかを示す目的で、該店舗３の店舗データテーブル１９での店舗ＩＤが記憶される「店舗ＩＤ」と、該集計結果が在庫保管単位でどの商品に関するものであるかを示す目的で、該商品３のＳＫＵデータテーブル２１でのＳＫＵ  ＩＤが記憶される「ＳＫＵ  ＩＤ」と、該商品のこの集計での販売数を記憶する「販売数」と、該商品のこの集計での販売額の総額を示す「販売金額」と、この集計を行った時期を短期集計期間単位（１時間単位）で示す「集計時期」とを、フィールドとして有している。
【００３８】
すなわち、ユーザデータベース２２から臨時集計データテーブル２８への多対一のデータのリレーションシップが行われ、店舗データテーブル１９から臨時集計データテーブル２８への多対一のデータのリレーションシップが行われ、ＳＫＵデータテーブル２１から臨時集計データテーブル２８への多対一のデータのリレーションシップが行われており、店舗単位且つ在庫保管単位で、臨時集計処理の結果が保管、管理されている。
【００３９】
図６（Ａ）は定期集計設定画面の説明図であり、（Ｂ）は臨時集計設定画面の説明図である。ユーザ認証手段１２によってログインが許可されたユーザの情報端末６に対して、定期集計設定手段１７は定期集計設定画面２９を表示させる一方で、臨時集計設定手段１８は臨時集計設定画面３１を表示させる。
【００４０】
上記定期集計設定画面２９は、ホームページ画面であって、上述の定期集計設定データテーブル２４の「店舗ＩＤ」に店舗を入力するために、店舗名を選択又は記載する店舗名入力欄２９ａと、該定期集計設定データテーブル２４の「ＳＫＵ  ＩＤ」に商品の商品名を記載する商品名入力欄２９ｂ及び該商品が有するＳＫＵ識別子の何れかを記載するＳＫＵ識別子入力欄２９ｃと、上記各欄２９ａ，２９ｂ，２９ｃに入力した情報を定期集計設定データテーブル２４に追加する追加ボタン２９ｄと、上記各欄２９ａ，２９ｂ，２９ｃに入力した情報を定期集計設定データテーブル２４から削除する削除ボタン２９ｅとを有している。
【００４１】
追加ボタン２９ｄがクリックされると、定期集計設定画面２９は、上記各欄２９ａ，２９ｂ，２９ｃに入力された情報に対応した店舗ＩＤとＳＫＵ  ＩＤのデータセットを求め、該データセットが、定期集計設定データテーブル２４に未登録の場合には、該データセットを定期集計設定データテーブル２４に記憶する一方で、既に登録されている場合には、その旨の報知を画面表示又は音声出力によって行う。
【００４２】
削除ボタン２９ｅがクリックされると、定期集計設定手段１７は、上記各欄２９ａ，２９ｂ，２９ｃに入力された情報に対応した店舗ＩＤとＳＫＵ  ＩＤのデータセットを求め、該データセットが、定期集計設定データテーブル２４に登録されている場合には、該データセットを、定期集計設定データテーブル２４から削除する一方で、該データセットが未登録の場合には、そのようなデータが登録されていない旨の報知を画面表示又は音声出力によって行う。
【００４３】
上記臨時集計設定画面３１は、ホームページ画面であって、臨時集計処理を行う店舗の定める目的で、店舗名を選択又は記載する店舗名入力欄３１ａと、臨時集計対象商品を、在庫保管単位で、定める目的で、該集計対象となる商品の商品名を記載する商品名入力欄３１ｂ及び該商品が有するＳＫＵ識別子の何れかを記載するＳＫＵ識別子入力欄３１ｃと、上述の臨時集計対象期間を入力する期間入力欄３１ｄと、上記各欄３１ａ，３１ｂ，３１ｃ、３１ｄに入力した情報に基づいて、臨時集計処理を実行させるための集計ボタン３１ｅとを有している。ちなみに、期間入力欄３１ｄには、開店時間が午前１０時からとした場合に、「１０時〜１３時」、「１２時〜１６時」のようにして、臨時集計対象期間の入力を行う。
【００４４】
集計ボタン３１ｅがクリックされると、臨時集計設定手段１８は、集計部９の短期集計手段１４に対して、該店舗での臨時集計処理開始の指示を出す。なお、商品名入力欄３１ｂには、複数の商品の商品名を入力できるようにしてよいし、ＳＫＵ識別子入力欄３１ｃにも、複数のＳＫＵ識別子を入力できるようにしてもよい。
【００４５】
図７は、短期集計手段が行う短期集計処理のフロー図である。短期集計手段１４によって、短期集計処理が開始されると、ステップＳ１に進む。ステップＳ１では、上述した定期集計処理のサブルーチンを実行し、該サブルーチンの処理が終了すると、ステップＳ２に進む。ステップＳ２では、上述した臨時集計処理のサブルーチンを実行し、該サブルーチンの処理が終了すると、ステップＳ１に処理を戻す。ちなみに、この短期集計処理は、店舗毎に各別に行われる。
【００４６】
図８は、定期集計処理のサブルーチンのフロー図である。定期集計処理のサブルーチンの処理が開始されると、ステップＳ１１から処理が開始される。ステップＳ１１では、タイマーによるカウントを検知し、タイマーによるカウントが短期集計期間（１時間）を経過しているか否かのチェックを行い、経過していればステップＳ１２に進み、経過していなければ、このサブルーチンの処理を終了させる。
【００４７】
ステップＳ１２では、定期集計設定データテーブル２４から対象店舗での設定値を読み込み、ステップＳ１３に進む。ステップＳ１３では、該店舗において、選定された在庫保管単位の定期集計対象商品があるか否かを確認し、該店舗での定期集計対象商品があればステップＳ１４に進む一方で、該店舗での定期集計対象商品がなければ、このサブルーチンの処理を終了させる。
【００４８】
ステップＳ１４では、現サブルーチンの実行時に、該店舗において、まだ集計していない定期集計対象商品があるか否かをチェックし、まだ集計していない定期集計対象商品が有ればステップＳ１５に進む。ステップＳ１５では、まだ集計していない定期集計対象商品を１つ特定し、ステップＳ１６に進む。
【００４９】
ステップＳ１６では、該特定した定期集計対象商品について、タイマーが短期集計期間をカウントする間（現短期集計期間）における該店舗での、販売個数及び販売総額等の集計（ＰＯＳ情報の集計）を行い、ステップＳ１７に進む。ステップＳ１７では、上記販売個数を販売数、販売総額を販売金額として、ステップＳ１６での集計結果を、定期集計データテーブル２７に記憶し、ステップＳ１４に処理を戻す。
【００５０】
このステップＳ１４において、対象店舗において、まだ集計していない定期集計対象商品が無い場合には、ステップＳ１８に進む。ステップＳ１８では、前記表示手段１６によって、集計結果表示画面３２（図９参照）を、上述したユーザの情報端末６に表示し、ステップＳ１９に進む。ステップＳ１９では、タイマーを０にセットして、再びカウントを開始するリスタート処理を行い、このサブルーチンの処理を終了させる。このような処理によって、短期集計期間の経過毎に、ステップＳ１２〜ステップＳ１９に示す処理が実行される。
【００５１】
図９は、表示手段によって表示される集計結果表示画面の説明図である。集計結果表示画面３２は、ＷＥＢ等で可視化されたホームページ画面であって、該集計結果がどの店舗のものであるかを示す店舗名表示欄３２ａと、該集計結果がどの商品であるかを示す商品名表示欄３２ｂと、該集計結果が該商品の何れかのＳＫＵ識別子に関するものであるかを示すＳＫＵ識別子表示欄３２ｃと、期間を表示する表示期間欄３２ｄと、期間を横軸とし且つ短期集計期間毎の販売個数を縦軸とする販売個数変化グラフを表示する販売個数変化グラフ表示欄３２ｅと、期間を横軸とし且つ短期集計期間毎の販売総額を縦軸とする販売総額変化グラフを表示する販売総額変化グラフ表示欄３２ｆと、戻りボタン３２ｇと、進みボタン３２ｈと、を有している。
【００５２】
表示期間欄３２ｄに表示される期間は、ここでは、集計結果の対象となった短期集計期間の属する日の開店時間から該短期集計期間までの期間であり、このように、集計結果表示画面３２によって表示させることができる範囲は、当日の開店時間以降とし、この販売個数変化グラフ及び販売総額変化グラフの横軸の時間幅は、表示期間欄３２ｄに表示された期間と同一とする。
【００５３】
戻りボタン３２ｇ及び進みボタン３２ｈは、クリックによって、店舗名表示欄３２ａに表示された店舗の切換や、商品名表示欄３２ｂに表示された商品の切換や、ＳＫＵ識別子表示欄３２ｃに表示されたＳＫＵ識別子の切換を行う。これらの表示が切換えられると、その切換えられた内容に沿って、販売個数変化グラフ表示欄３２ｅの表示内容及び販売総額変化グラフ表示欄３２ｆの表示内容も切換えられる。この表示内容を見ることによって、様々な経営計画を柔軟に練ることが可能になる。
【００５４】
なお、販売個数変化グラフ表示欄３２ｅの横に、表示期間欄３２ｄに表示された期間内（具体的には、その日の開店時間から直近の短期集計期間までの期間）の該ＳＫＵの販売個数の累計を表示する累計表示欄３２ｉを設けてもよい。
【００５５】
図１０は、臨時集計処理のサブルーチンのフロー図である。臨時集計処理のサブルーチンの処理が開始されると、ステップＳ２１から処理が開始される。ステップＳ２１では、上述ようにして、上述の対象店舗に対して、臨時集計設定手段１８から臨時集計処理開始の指示が出されているか否かをチェックし、該指示が出されている場合にはステップＳ２２に進み、該指示が出されていない場合にはこのサブルーチンの処理を終了させる。
【００５６】
ステップＳ２２では、臨時集計設定画面３１の各入力欄３１ａ，３１ｂ，３１ｃ、３１ｄの情報を読込みステップＳ２３に進む。ステップＳ２３では、臨時集計設定画面３１の各入力欄３１ａ，３１ｂ，３１ｃ、３１ｄに入力された情報に基づいて、以前に、短期集計手段１４によって、同一の集計を行ったことがあるか否かを、定期集計データテーブル２７及び臨時集計データテーブル２８の内容を参照して確認し、以前に同一の集計を行っていなければステップＳ２４に進む。
【００５７】
ステップＳ２４では、今回の集計処理を行うに際して、集計対象となるＳＫＵ数が予め定めた所定値を超えているか否かを検出し、超えていなければ、一定以上の負荷が瞬間的にコンピュータにかかることはないため、ステップＳ２５に進む。
【００５８】
ステップＳ２５では、臨時集計設定画面３１の各入力欄３１ａ，３１ｂ，３１ｃ、３１ｄの情報に基づいて、短期集計手段１４を介した集計を行い、ステップＳ２６に進む。ステップＳ２６では、ステップＳ２５での集計結果を臨時集計データテーブル２８に記憶し、ステップＳ２７に進む。
【００５９】
ステップＳ２７では、ステップＳ２５による集計結果を、表示手段１６によって、集計結果表示画面３２に表示し、このサブルーチンの処理を終了させる。この際、集計結果表示画面３２の表示期間欄３２ｄの表示する期間は、臨時集計対象期間としてもよいし、臨時集計対象期間の属する日の店舗での全営業時間としてもよいし、臨時集計対象期間の属する日の店舗での開店時間から現臨時集計対象期間までとしてもよい。
【００６０】
ステップＳ２３において、臨時集計設定画面３１の各入力欄３１ａ，３１ｂ，３１ｃ、３１ｄに入力された情報に基づいて、以前に、短期集計手段１４によって、同一の集計を行ったことがあることが確認された場合には、ステップＳ２８に進む。ステップＳ２８では、以前の行ったことがある集計結果を、臨時集計データテーブル２８から読込み、ステップＳ２７に進み、その読込んだ結果を、表示手段１６によって、集計結果表示画面３２に表示させる。このように、一度行った集計が同一内容で再度行われることを防止して、処理の軽減を図ることが可能になる。言換えると、以前の集計結果が再度参照可能になっている。
【００６１】
ステップＳ２４において、今回の集計処理を行うに際して、集計対象となるＳＫＵ数が、予め定めた所定値を超えている場合には、一次的にコンピュータに一定以上の負荷がかかる可能性があるため、ステップＳ２９に進む。ステップＳ２９では、画面表示または音声によって、その旨の報知を行い、集計を行わずに、このサブルーチンの処理を終了させる。このように、集計する際に対象となるＳＫＵ数に上限を設けることによって、一時的に負荷が上昇して、意図しない不具合が生じることを未然に防止できる。
【００６２】
なお、ステップＳ２４において、臨時集計設定画面３１のＳＫＵ識別子入力欄３１に入力されたＳＫＵの数が所定値以下になっている場合や、臨時集計対象期間が所定期間以下になっている場合に、ステップＳ２５に進み、所定値よりも大きく、或いは所定期間よりも長くなっている場合には、ステップＳ２９に進むようにしてもよく、これによっても、一時的な負荷の上昇を抑制できる。
【００６３】
図１１は、通常集計手段が行う通常集計処理のフロー図である。この通常集計処理も、店舗毎に各別に行われる。短期集計手段１３は、対象店舗での一日の締め処理が行われると、通常集計処理を開始し、ステップＳ３１に進む。ステップＳ３１では、対象店舗でのその日の営業時間を通常集計期間として、通常集計手段１３による集計処理が行われ、ステップＳ３２に進む。
【００６４】
ステップＳ３２では、該集計結果を通常集計データテーブル２６に記憶し、ステップＳ３３に進む。ステップＳ３３では、該集計結果を、表示手段１６によって、集計結果表示画面３２等に表示し、処理を終了させる。この際、集計結果表示画面３２の表示期間欄３２ｄの表示する期間は、通常集計期間の属する週や月としてもよい。
【００６５】
以上のように構成される本情報管理システムによれば、短期集計期間に定期的に集計を行う商品（ＳＫＵ）を、定期集計対象商品（対象ＳＫＵ）とし、これを限定することによって、コンピュータに余分な負荷をかけることなく、店舗での販売状況等の細かい変化を読取ることが容易になる。
【００６６】
なお、この情報管理サーバに、短期集計手段１４や長期集計手段１３の集計結果を統計処理して、各店舗の店舗端末４に、各種指示を送る統計手段を設けてもよい。これよって、短期のビジョンと中長期的なビジョンとを、バラス良く、各店舗に自動的に示すことも容易になる。
【符号の説明】
【００６７】
１  情報管理サーバ
２  ネットワーク（インターネット，ＷＡＮ）
３  ネットワーク（インターネット，ＷＡＮ）
４  店舗端末
６  情報端末
７  ＰＯＳ情報取得手段（取得手段）
８  記憶装置
９  集計部
１１  設定部
１２  ユーザ認証手段
１３  通常集計手段（集計手段）
１４  短期集計手段（集計手段）
１６  表示手段
１７  定期集計設定手段
１８  臨時集計設定手段
１９  店舗データテーブル
２１  ＳＫＵデータテーブル
２２  ユーザデータテーブル
２３  販売データテーブル
２４  定期集計設定データテーブル
２６  通常集計データテーブル
２７  定期集計データテーブル
２８  臨時集計データテーブル
２９  定期集計設定画面（ホームページ画面）
２９ａ  店舗名入力欄
２９ｂ  商品名入力欄
２９ｃ  ＳＫＵ識別子入力欄
２９ｄ  追加ボタン
２９ｅ  削除ボタン
３１  臨時集計設定画面（ホームページ画面）
３１ａ  店舗名入力欄
３１ｂ  商品名入力欄
３１ｃ  ＳＫＵ識別子入力欄
３１ｄ  期間入力欄
３１ｅ  集計ボタン
３２  集計結果表示画面（ホームページ画面）
３２ａ  店舗名表示欄
３２ｂ  商品名表示欄
３２ｃ  ＳＫＵ識別子表示欄
３２ｄ  表示期間欄
３２ｅ  販売個数変化グラフ表示欄
３２ｆ  販売総額変化グラフ表示欄
３２ｇ  戻りボタン
３２ｈ  進みボタン
【図１】
0005789112.tif 000002
【図２】
0005789112.tif 000003
【図３】
0005789112.tif 000004
【図４】
0005789112.tif 000005
【図５】
0005789112.tif 000006
【図６】
0005789112.tif 000007
【図７】
0005789112.tif 000008
【図８】
0005789112.tif 000009
【図９】
0005789112.tif 000010
【図１０】
0005789112.tif 000011
【図１１】
0005789112.tif 000012